(57)【要約】  本発明は、粒状固体触媒材料の少なくとも１つの触媒塔の上方で、少なくとも１つのガス相と少なくとも１つの液相を有する下方に流れる多相混合物の分配を改善するために、流れ分配導管または煙突と連結する流体分配装置である。液体とガスの相を受容するための流体分配装置は、ガス相が流入できる、１つ以上の開口を、その高さ方向の頂部および・または上部に有し、混合キャビティに開口するガス導管を装置内に有している。流体分配装置は、液体進入のための、１つ以上の側部開口を備えている。側部開口は、液体が、内部混合キャビティに開口する液体導管に入ることを可能にする。混合キャビティは、液体とガスの相の間の密接な接触を可能にする。したがって、本発明の流れ分配装置は、平らでないトレイのための改良された公差を提供する。
2013507239.tif 000002
【特許請求の範囲】
【請求項１】
多相流体を粒状固体に分配するための流れ分配装置において、
ガス導管の半径よりも大きな半径を有する混合キャビティにガス相を導入する少なくとも１つのガス導管であって、当該ガス導管は、ガス入口開口から下方のガス導管開口を通って混合キャビティに延び、当該ガス導管開口は、混合キャビティへと液体相を導入するための液体導管の下方範囲よりも低くないように位置決めされる、ガス導管と、
流れ分配装置からの液体・ガス相を加速し分散させる多相ノズルであって、当該ノズルが、混合キャビティと連結され同軸整合されるノズル入口を有している、ノズルとを備えた、流れ分配装置。
【請求項２】
前記ガス導管が円筒形である、請求項１に記載の流れ分配装置。
【請求項３】
前記ガス導管が垂直方向に向いている、請求項１に記載の流れ分配装置。
【請求項４】
前記ガス導管の開口が、液体導管の下限と上限の間で水平面上にある、請求項１に記載の流れ分配装置。
【請求項５】
前記ガス導管の開口が、液体導管の上限よりも低くない水平面上にある、請求項１に記載の流れ分配装置。
【請求項６】
前記多相ノズルが、底部出口を更に含む、請求項１に記載の流れ分配装置。
【請求項７】
円筒形外壁と密接に流体連結する頂部蓋部と、少なくとも１つのガス入口とを有する、請求項１に記載の流れ分配装置。
【請求項８】
前記多相ノズルが、前記混合キャビティを流体連結するノズル入口を有している、請求項１に記載の流れ分配装置。
【請求項９】
前記底部開口の直径が、前記多相ノズルの直径よりも大きい、請求項６に記載の流れ分配装置。
【請求項１０】
前記多相ノズルの傾斜が、該多相ノズルの開口を２分する平面から測定した時に３０度から６０度の間である、請求項８に記載の流れ分配装置。
【請求項１１】
前記多相ノズルが、傾斜した内壁を有している、請求項１に記載の流れ分配装置。
【請求項１２】
前記内壁の傾斜が、該多相ノズルの開口を２分する平面から測定した時に３０度から６０度の間である、請求項１１に記載の流れ分配装置。
【請求項１３】
煙突を更に備える、請求項１に記載の流れ分配装置。
【請求項１４】
粒状固体触媒材料の少なくとも１つの触媒塔上に、少なくとも１つのガス相と少なくとも１つの液相を有する下方流多相混合物を分配するための、少なくとも１つの煙突を有する分配トレイであって、当該煙突は、煙突に後から取り付けられる１つの流れ分配装置を有する、分配トレイにおいて、
当該流れ分配装置は、ガス導管の半径よりも大きな半径を有する混合キャビティにガス相を導入する少なくとも１つのガス導管であって、当該ガス導管は、ガス入口開口から下方のガス導管開口を通って混合キャビティに延び、当該ガス導管開口は、混合キャビティへと液体相を導入するための液体導管の下方範囲よりも低くないように位置決めされる、ガス導管と、
流れ分配装置からの液体・ガス相を加速し分散させる多相ノズルであって、当該ノズルが、混合キャビティと連結され同軸整合されるノズル入口を有している、ノズルとを備えた、分配トレイ。
【請求項１５】
前記煙突が、前記液体導管と同軸の液体流のための側部開口を有している、請求項１４に記載の分配トレイ。
【発明の詳細な説明】
【技術分野】
【０００１】
本発明は、下降流多塔式触媒反応器の流れ分配装置に関する。この型の反応器は、触媒脱ろう、水素化処理、水素化仕上げ、水素化分解のような様々な反応を起こす化学および石油精製産業において用いられている。本流れ分配装置は、液体と蒸気の間の混合相反応を起こすのに特に有用である。より詳しくは、本発明は、分配を改善し、連続する触媒塔の頂部上の分配板を出て行くガスと液体を混合する装置に関する。分配装置は、ガス・液体混合物が固体触媒粒子の塔を通過するような触媒反応器、特に、油精製作用において水素化処理および水素化分解に使われる下降流触媒反応器に適している。
【背景技術】
【０００２】
一連の分離触媒塔を有する反応器では、多くの触媒過程が行われる。特定の固体の詰まった搭の上の液体や混合相の液体・蒸気混合物を通過させるための化学、石油精製およびその他の産業で使われる反応器が、様々な異なる過程のために用いられる。石油精製産業におけるそのような過程の典型的なものは、触媒脱ろう、水素化処理、水素脱硫、水素化仕上げおよび水素化分解である。これらの過程においては、液体相は、典型的には、下降流反応器の詰まった塔に維持される特定の触媒上を通過されるガスまたは蒸気相および混合物と混合される。
【０００３】
下降流反応器においては、ガスと液体は、適切に混合され、触媒塔に入る前に反応器の水平断面を通って均一に分配されることが必要である。均一な分配は、触媒の効率的な利用を保証し、触媒頂部層の消耗を減らし、歩留まりを改善し、生産品質を改善し、連続運転時間を長くする助けとなる。一般に、多塔下降流触媒反応器では、複数の触媒塔が反応器内に設けられ、ガスと液体の適切な混合のための分配装置が、２つの続く触媒塔の間の領域に配置される。この領域は、通常は、触媒塔の下のガス圧入ラインを備えており、これによって、追加のガスが、前の触媒塔で既に使われてしまったガスを補充するために圧入される。圧入されるガスは、焼き入れガスとして作用する。一般に、圧入ガスは、水素であるか、または水素を含む。上部にある触媒塔から落下する液体は、収集トレイ上に蓄積される。焼き入れガスと液体は、液体の渦運動が提供される混合チャンバに入る。これにより、液体の良好な混合が可能となり、これにより、液体の均一な温度条件が可能となる。ガス・液体混合は、混合チャンバ内でも生じる。混合チャンバからの流体は、偏向板または緩衝板に落下し、これにより、流れは、液体の通過のためのたくさんの下降流開口を有する第１分配トレイに向けなおされる。断面的な液体流分配のために、下降流開口は、１つ以上の導管または煙突を備えることが出来る。煙突は、ガス相が入ってくる、１つの開口頂部と、高さ方向の上部の１つ以上の開口とを備えた円筒状構成である。ガス相は、煙突筒部の長さに沿って下方に移動する。煙突の下部は、液相が煙突の筒部構造に入りガス相と接触することができるようにする液体流のための１つ以上の側部開口を有することが出来る。液体が分配トレイに蓄積すると、煙突の側部開口を覆う高さに上昇して、ガスの通過が妨げられ、液体が側部開口を通って筒部構造内に入ってしまう。ガスと液体は、煙突の底部の開口を介して、分配トレイを通って、下にある触媒塔へ出ていく。液体流のまわりの低乱流のために、筒状構造には、２つの相間の制限された混合だけが、生じる。
【０００４】
良好な流れ分配装置は、以下の４つの基本要件を満たしている。すなわち、ガスと液体の割合の範囲を超えて触媒塔への供給の均一な分配を提供すること、分配トレイの所定の平面度外への耐性があること、良好なガス・液体混合と熱交換を提供すること、および下にある触媒塔を充分に湿潤する最小触媒塔高さを必要とすること、である。煙突内への液体流の駆動力は、トレイ上の静止液体高さであるので、標準的な煙突は、分配器トレイの平面度からの偏差のための低公差によりこれら判定基準に適合するのに不充分でありうる。これは、下にある触媒塔への流体の部分最適スプレー排出の損害をこうむる。
【発明の概要】
【発明が解決しようとする課題】
【０００５】
この分配器設計の重要な検討の一つは、装置からの液体とガスの排出パターンである。標準煙突分配器は、触媒塔をほんのいくつかの点で接触するのみである。その結果、触媒表面を適切に湿潤し、望ましい触媒反応を起こすような所定の塔高さを取る。より均一で矛盾しないスプレーパターンと、短距離の触媒塔におけるより均一な触媒湿潤が望まれる。本発明の目的は、触媒塔の頂部上での持続したスプレーとしての均一な流体分配を達成することである。本発明の別の目的は、平らでない分配器トレイの流れ分配器設計の公差を改善することである。
【課題を解決するための手段】
【０００６】
多塔触媒反応器の動作を最大限にするためには、ガスと液体の優れた混合を可能にし、ガス・液体混合物を下方にある触媒塔に均一に分配する煙突が重要である。実施例では、本発明は、ガス導管の半径よりも大きな半径を有する混合キャビティにガス相を導入する少なくとも１つのガス導管を有する、多相流体を粒状固体に分配するための流れ分配装置であって、当該ガス導管は、ガス入口開口から下方のガス導管開口を通って混合キャビティに延び、当該ガス導管開口は、混合キャビティへと液体相を導入するための液体導管の下方範囲よりも低くないように位置決めされ、流れ分配装置からの液体・ガス相を加速し分散させる多相ノズルを備え、当該ノズルが、混合キャビティと連結され同軸整合されるノズル入口を有している、流れ分配装置を提供する。
【０００７】
他の実施例では、本発明は、粒状固体触媒材料の少なくとも１つの触媒塔上に、少なくとも１つのガス相と少なくとも１つの液相を有する下方流多相混合物を分配するための、少なくとも１つの煙突を有する分配トレイであって、当該煙突は、煙突に後から取り付けられる１つの流れ分配装置を有し、当該流れ分配装置は、ガス導管の半径よりも大きな半径を有する混合キャビティにガス相を導入する少なくとも１つのガス導管を有し、当該ガス導管は、ガス入口開口から下方のガス導管開口を通って混合キャビティに延び、当該ガス導管開口は、混合キャビティへと液体相を導入するための液体導管の下方範囲よりも低くないように位置決めされ、流れ分配装置からの液体・ガス相を加速し分散させる多相ノズルを備え、当該ノズルが、混合キャビティと連結され同軸整合されるノズル入口を有している、分配トレイを提供する。
【図面の簡単な説明】
【０００８】
【図１】本発明の流れ分配装置の実施例の概略側断面図である。
【図２】反応器容器における、本発明の流れ分配装置の概略斜視側断面図である。
【発明を実施するための形態】
【０００９】
本発明の実施例は、粒状固体触媒材料の少なくとも１つの触媒塔上に、少なくとも１つのガス相と少なくとも１つの液相を有する下方に流れる多相混合物を分配するための流体分配装置である。液体とガスの相を受容するための流体分配装置は、高さ方向の頂部および・または上部にガス相が流入することの出来る１つ以上の開口を有し、装置内で混合キャビティに開口するガス導管を有している。流体分配装置は更に、液体進入用の１つ以上の側部開口を有している。側部開口は、内部混合キャビティに開口する液体導管に液体が入ることを可能にする。混合キャビティは、液体とガス相関の密接を可能にしている。ガス入口管は、混合キャビティよりも狭く、これにより、ベンチュリ管効果を生じ、流体分配装置の内部に低い圧力を生じる。圧力差は、液体導管を通って混合キャビティへの液相を「引く」ことを助ける。このようにして、トレイ上での静的液体高さよりも、側部開口を通る液体流量が、比較的狭いガス導管のベンチュリ効果によって、少なくともある程度は決定される。したがって、本発明の流れ分配装置は、従来技術の煙突よりもトレイの平面度のための公差を大きなものとすることが可能である。流体（混合されたガスと液体の相）は、狭くなり傾斜するベンチュリ出口を介して、幅のあるスプレーパターンとして、流体分配装置から出て行く。流体分配装置の圧力降下は、省エネルギや、頂部塔層での摩擦を減らすために最小にされる。
【００１０】
本発明の流体分配装置は、下降流触媒反応器において使用されうる。下降流触媒反応器において、本発明の流れ分配装置は、ガス相と液相が混合することを可能にし、流体をよく分散されたスプレーとして、例えば、下方にある触媒塔に分配する。このように使われると、ガス、液体、およびその組合せは、「流体」として言及される。
【００１１】
本発明の流れ分配装置は、分配トレイ装置における既存の煙突に挿入されうる。そのような後から取り付ける応用においては、既存の煙突に挿入されうる流れ分配装置は、煙突インサートとして言及される。新たな反応器の設計においては、流れ分配装置は、煙突の代りに分配トレイに直接挿入されることも出来る。一般に、本発明の流れ分配装置は、直径約１インチ（２．５４ｃｍ）から直径約４インチ（１０．１６ｃｍ）の大きさにされるが、より大きな直径やより小さな直径を適用することも可能である。そのような実施例においては、本発明の流れ分配装置は、直径約１．５インチ（３．８１ｃｍ）から直径約３インチ（７．６２ｃｍ）の大きさにされうる。下降流触媒反応器に使われる本発明の流れ分配装置の数は、変更可能であり、所望の流量やその他の下降流触媒反応器における所望の条件によって選択される。本発明の流れ分配装置の数を選択する過程は、下降流触媒反応器における標準の煙突の数を決定する従来の選択過程と類似している。
【００１２】
実施例では、流れ分配装置は、後から取り付けるように使われうる。既存の煙突が、使われ、流れ分配装置が既存の煙突に挿入される。例えば、図１は、流れ分配装置１がインサートとしてどのように用いられるかを示しており、装置の直径は、分配装置トレイ８５における既存の煙突に挿入して、煙突壁４と実質的に密接な流体シールを形成するようになっている。図２は、分配装置トレイに流れ分配装置１を有している、煙突の配置を示している。実施例では、流体分配装置は、煙突６５の底部から上方に延び、煙突６５の底部と煙突７０の頂部の間の距離よりも５０％より大きいまたは７５％より大きい高さにまで延びている。本発明は、後から取り付けるために異なる大きさの既存の煙突に適合するように、その大きさを変更することができる。既存の煙突の内径を測定することによって大きさ決めを達成することができ、本発明の流れ分配装置の外径の大きさは、既存の煙突の内径よりも小さくする。実施例では、装置の外径は、約１．５インチ（３．８１ｃｍ）から約３インチ（７．６２ｃｍ）の範囲であるが、より小さなまたはより大きな直径が除かれるわけではなく、適用に応じて変更できる。他の実施例では、本発明は、独立系の流体分配装置として用いられる。
【００１３】
後から取り付けるようになった実施例でもそうでない実施例でも、外壁５は、円筒構造を形成している。頂部蓋部分６は、外壁５によって形成される円筒構造の蓋をし、円筒外壁と流体密接合される。頂部蓋部分６は、少なくとも１つのガス入口開口１０を有している。実施例では、ガス入口開口は、約０．１インチ（０．２５４ｃｍ）から約１．０インチ（２．５４ｃｍ）の直径の範囲にあるが、より小さな直径やより大きな直径が除外されるわけではなく、適用に依存する。そのような実施例では、ガス入口開口は、約０．３インチ（０．７６２ｃｍ）から約０．７インチ（１．７７８ｃｍ）の直径の範囲である。実施例において、頂部蓋部分６は、単一の中央配置のガス入口開口１０を備えている。ガス入口開口１０は、ガス流のために軸方向ガス導管１５に開口している。ガス導管１５は、混合キャビティ２５に開口する下部ガス導管開口２０を有している。実施例では、ガス導管１５は、混合キャビティ２５と同軸である。実施例では、ガス導管は、垂直方向である。ガスがガス導管を通って流れるので、圧力差が、混合キャビティ２５の圧力とガス入口開口１０の圧力の間に生じる。流れ分配装置の内部の低い相対圧力と、流れ分配装置の外部の高い相対圧力間のこの圧力差は、液体を１つ以上の側部開口３５を通って流れ分配装置の内部に駆動する助けになる。上記した圧力差による少なくともある程度の液体流が生じるので、平らでないトレイは、液体流の影響を受けにくくなる。例えば、側部液体開口が液面６０よりも低い限り、平らでないトレイによる液体流の差が、最小にされる。これは、液体流の主要部が、平らでないトレイによる液体レベルの変化に帰属する何らの圧力差に対抗するものとして、ガス流によって生じる圧力差によって決定される。
【００１４】
実施例では、液体導管３５は、混合キャビティ２５へのガス導管開口２０が、液体導管３５の下方限度７５と少なくとも同じ高さ（垂直方向）の水平面上にあるように位置決めされる。実施例では、ガス導管開口２０は、液体導管３５の下方限度７５と上方限度８０の間の水平面にある。実施例では、ガス導管開口２０は、液体導管３５の上方限度８０と一致する水平面上にある。実施例では、ガス導管開口２０は、液体導管３５の上方限度８０よりも低くない水平面にある。
【００１５】
液体導管の下方限度と少なくとも同じ高さの、水平液体導管３５と垂直ガス導管２０の組合せは、液体流のための既存の側部孔３０を有する、既存の煙突における後から取り付ける適用として用いられる流れ分配装置を提供する。
【００１６】
側部開口の数は、所望の流量に依存して変わる。図１の実施例は、液体流のための１つの側部開口を示している。他の実施例では、液体流のための少なくとも１つの開口が用いられる。実施例では、多くの側部開口が、相互に同じ水平面上にある。実施例では、側部開口は、約０．２インチ（０．５０８ｃｍ）から約０．７５インチ（１．９０５ｃｍ）の範囲でありうるが、より小さなまたはより大きな直径が除かれるわけではなく、適用に依存する。そのような実施例においては、側部液体入口は、０．２５インチ（０．６３５ｃｍ）から０．６０インチ（１．５２４ｃｍ）の直径を有している。実施例においては、液相用の側部開口３０は、円形で、円筒形液体通路３５の開口を形成している。そのような実施例では、円筒形液体導管の軸は、水平方向にある。そのような実施例では、側部開口の軸は、ガス導管に放射状であり、すなわち、ガス導管に直角である。円筒形液体導管３５は、混合キャビティ２５に開口する円形出口開口４０を有している。実施例では、液体は、ガス導管のガスの流れに直角な方向に液体導管を流れる。そのような実施例では、液体導管から流れる液体の少なくとも一部が、ガス導管から流れるガスに垂直方向に接触する。一般に、混合キャビティ２５は、円筒形ガス導管１５の半径Ａよりも大きく、液体導管３５の半径Ｃよりも大きい、半径Ｂを有している。混合キャビティの形状は、混合キャビティが流体の出る前に、入ってくるガスと液体相の混合を可能にする充分な体積を有するならば、変わることができる。液体キャビティ２５の基部と側部液体開口３０の下には、傾斜しただんだん狭くなる多相出口ノズル４６がある。この多相ノズル４６は、混合キャビティ２５の半径Ｂよりも小さな半径Ｄを有している。実施例では、多相ノズル４６のノズル入口４５は、混合キャビティ２５にしっかりと連結され、同軸に整合されている。そのような実施例では、ノズル入口は、ガス導管に同軸に整合されている。ノズル入口４５は、混合キャビティの基部に中心配置され、円筒形外壁５に同軸にされている。ノズルの形状は、混合チャンバからの液体とガスの相を加速し分散することによって流体を外に出すベンチュリ効果をする。実施例では、ノズルの傾斜は、５度から８５度の間であり、この傾斜の角度は、多相ノズル４６を２分し、頂部蓋部に平行な平面から測定される。実施例においては、傾斜は、３０度から６０度の間であり、例えば、４５度である。
【００１７】
流体は、多相ノズル４６を流れ、底壁５５の中央に配置された底部開口５０を通って分配装置に出て行く。底部開口５０の半径Ｅは、多相ノズル（図のＤ）の最も制限された部分の半径よりも大きい。流体は、下方にある触媒塔（図示せず）の均一な湿潤を保証するように底部開口を通って分配装置に出て行く高度に分配されたスプレーパターンを有している。実施例では、多相ノズルは、内壁４９を備えている。実施例では、内壁４９は傾斜している。実施例においては、内壁の傾斜は、ノズル開口を２分する平面から測定して、５度から８５度の間である。実施例においては、内壁の傾斜は、３０度から６０度あり、例えば、４５度である。
【００１８】
他の実施例では、内壁は、平坦でありうる。平坦ということは、内壁は、底壁５５に平行であり、および・または側壁５に垂直であるということである。実施例では、底部開口は、底壁の半径よりも小さい半径Ｅを有している。別の実施例では、底部開口は、底壁の半径Ｆと等しい半径Ｅを有しており、すなわち、底部開口は、分配装置の基礎部分全体に渡っている。
【００１９】
本発明の分配装置は、従来技術の煙突よりも平らでないトレイへの公差を大きくすることが出来る。加えて、本発明の流れ分配装置は、後から取り付けるように使うことが出来、追加の経済的利益と設計の自由度を提供することが出来る。ノズルの設計と分岐するノズルのために、均一で、分配器の下方の触媒表面を完全に湿らせるスプレーパターンが得られる。
【００２０】
（例）
例１（比較例）：トレイが平らでないことをシミュレートするために、２つの同一の煙突ＡとＢが１１インチ（２７．９４ｃｍ）径のテストセルに取り付けられ、煙突Ａは煙突Ｂよりもほぼ０．２５インチ（０．６３５ｃｍ）低くなっている。煙突は、ほぼ６インチ（１５．２４ｃｍ）離されている。各煙突の径は２．５インチ（６．３５ｃｍ）である。０．５インチ（１．２７ｃｍ）径の２つの側部開口が煙突ＡとＢのそれぞれの底部から１．０インチ（２．５４ｃｍ）上方に設けられる。各煙突の高さは、６．５インチ（１６．５１ｃｍ）である。１分あたり２．６ガロン（ＧＰＭ）の流量の水と、１分あたり８標準立方フィートの流量の空気が、下降流触媒反応器における条件をシミュレートするために使われる。水は、側部開口を通って煙突に入り、ガスは、頂部開口を通って入ってくる。液体の流量は、煙突の各々を通って測定される。煙突Ａは、５８．５％の流量を有し、煙突Ｂは、４１．５％の流量を有する。
【００２１】
例２（本発明）：例１で概略説明した実験が、各煙突ＡとＢに挿入された本発明の流れ分配装置で繰り返される。流量は、各煙突で測定される。煙突Ａは、４９．３％の流量を有し、煙突Ｂは、５０．７％の流量を有する。
【００２２】
上記の例は、本発明の流れ分配装置が、後から取り付けるタイプの適用（例２）で煙突インサートとして使われた時に、インサートのない煙突（例１）よりも平面度からのトレイの公差が高くなることを示している。加えて、ガス・液体混合は、例１に比べて例２で改善され、例２のスプレーパターンは、例１のスプレーパターンよりも幅広く均一になる。このようにして、本発明の流体分配装置は、従来の煙突と比較して、流体分配装置として使われるための特性が改善されることを示している。
【図１】
2013507239.tif 000003
【図２】
2013507239.tif 000004
【国際調査報告】
2013507239.tif 000005
2013507239.tif 000006